【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
１つまたは複数の制御チャネルを送信するための少なくとも１つの物理リソースブロック（ＰＲＢ）ペアの複数のリソース要素を識別することと、
前記複数の識別されたリソース要素を１つまたは複数のグループに分割することと、
前記１つまたは複数のグループのうちの１つの該当グループにおける複数のリソース要素を同じトラフィック対パイロット比（ＴＰＲ）に制限することとを備える、ワイヤレス通信の方法。
【請求項２】
前記複数のリソース要素は前記該当グループにおける全てのリソース要素を含む、請求項１に記載の方法。
【請求項３】
前記ＴＰＲは第１のＴＰＲであり、前記該当グループは第１のグループであり、前記方法は、
前記１つまたは複数のグループからの第２のグループの複数のリソース要素を第２のＴＰＲに制限すること、前記第１のＴＰＲは前記第２のＴＰＲとは異なる、をさらに備える、請求項１に記載の方法。
【請求項４】
前記第１のグループは第１の制御チャネル送信に関連付けられ、前記第２のグループは第２の制御チャネル送信に関連付けられ、前記第２の制御チャネル送信は前記第１の制御チャネル送信とは異なる、請求項３に記載の方法。
【請求項５】
ＰＲＢペア内の全てのグループの全てのリソース要素は同じＴＰＲを有する、請求項１に記載の方法。
【請求項６】
前記分割することは、前記１つまたは複数のグループを複数の制御チャネル要素に分割することを含み、各制御チャネル要素はいくつかのグループを備える、
前記制限することは、前記複数の制御チャネル要素のうちの該当制御チャネル要素における各グループの複数のリソース要素を前記ＴＰＲに制限することを含む、請求項１に記載の方法。
【請求項７】
前記制限することは、前記該当制御チャネル要素における各グループの全てのリソース要素を前記ＴＰＲに制限することをさらに備える、請求項６に記載の方法。
【請求項８】
１つまたは複数の制御チャネルを送信するための少なくとも１つの物理リソースブロック（ＰＲＢ）ペアの複数のリソース要素を識別するための手段と、
前記複数の識別されたリソース要素を１つまたは複数のグループに分割するための手段と、
前記１つまたは複数のグループのうちの１つの該当グループにおける複数のリソース要素を同じトラフィック対パイロット比（ＴＰＲ）に制限するための手段とを備える、ワイヤレス通信のための装置。
【請求項９】
前記複数のリソース要素は前記該当グループにおける全てのリソース要素を含む、請求項８に記載の装置。
【請求項１０】
前記ＴＰＲは第１のＴＰＲであり、前記該当グループは第１のグループであり、制限するための前記手段は、
前記１つまたは複数のグループからの第２のグループの複数のリソース要素を第２のＴＰＲに制限すること、前記第１のＴＰＲは前記第２のＴＰＲとは異なる、を行うように構成され、
ここにおいて、前記第１のグループは第１の制御チャネル送信に関連付けられ、前記第２のグループは第２の制御チャネル送信に関連付けられ、前記第２の制御チャネル送信は前記第１の制御チャネル送信とは異なる、請求項８に記載の装置。
【請求項１１】
ＰＲＢペア内の全てのグループの全てのリソース要素は同じＴＰＲを有する、請求項８に記載の装置。
【請求項１２】
分割するための前記手段は、前記１つまたは複数のグループを複数の制御チャネル要素に分割するように構成され、各制御チャネル要素はいくつかのグループを備える、
制限するための前記手段は、前記複数の制御チャネル要素のうちの該当制御チャネル要素における各グループの複数のリソース要素を前記ＴＰＲに制限するように構成された、請求項８に記載の装置。
【請求項１３】
制限するための前記手段は、前記該当制御チャネル要素における各グループの全てのリソース要素を前記ＴＰＲに制限するように構成された、請求項１２に記載の装置。
【請求項１４】
前記ＴＰＲは第１のＴＰＲであり、前記該当制御チャネル要素は第１の制御チャネル要素であり、ここにおいて、制限するための前記手段は、前記複数の制御チャネル要素からの第２の制御チャネル要素の各グループの複数のリソース要素を第２のＴＰＲに制限するように構成され、前記第１のＴＰＲは前記第２のＴＰＲとは異なる、
ここにおいて、前記第１の制御チャネル要素は第１の制御チャネル送信に関連付けられ、前記第２の制御チャネル要素は第２の制御チャネル送信に関連付けられ、前記第２の制御チャネル送信は前記第１の制御チャネル送信とは異なる、請求項１２に記載の装置。
【請求項１５】
コンピュータ上で稼働されたとき、請求項１−７のうちのいずれかに従う方法を実行するための命令を備えるコンピュータプログラム。
【手続補正２】
【補正対象書類名】明細書
【補正対象項目名】００８７
【補正方法】変更
【補正の内容】
【００８７】
[00103]  以上の説明は、当業者が本明細書で説明された様々な態様を実践することを可能にするために提供される。これら態様に対する様々な変更は当業者には容易に明らかであり、本明細書で定義された一般原理は他の態様に適用され得る。従って、特許請求の範囲は、本明細書に示された態様に限定されるものでなく、特許請求の言い回しに矛盾しない全範囲を与えられるべきであり、単数形の要素への言及は、そのように明記されない限り、「唯一無二の」を意味するものでなく、「１つまたは複数の」を意味するものである。別段に明記されない限り、「いくつかの」という語は１つまたは複数を指す。「Ａ、Ｂ、またはＣのうちの少なくとも１つ」、「Ａ、Ｂ、およびＣのうちの少なくとも１つ」、並びに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明された様々な態様の要素の全ての構造的および機能的均等物は、参照により本明細書に明確に組み込まれ、特許請求の範囲に包含されるものである。その上、本明細書で開示されたいかなることも、そのような開示が特許請求の範囲に明示的に記載されたかどうかにかかわらず、公に供されるものでない。いかなるクレーム要素も、その要素が「ための手段」という語句を使用して明確に記載されない限り、ミーンズプラスファンクションとして解釈されるべきでない。
以下に、本願出願の当初の特許請求の範囲に記載された発明を付記する。
［Ｃ１］
１つまたは複数の制御チャネルを送信するための少なくとも１つの物理リソースブロック（ＰＲＢ）ペアの複数のリソース要素を識別することと、
前記複数の識別されたリソース要素を１つまたは複数のグループに分割することと、
前記１つまたは複数のグループのうちの１つの該当グループにおける複数のリソース要素を１つのトラフィック対パイロット比（ＴＰＲ）に制限することとを備える、ワイヤレス通信の方法。
［Ｃ２］
前記複数のリソース要素は前記該当グループにおける全てのリソース要素を含む、Ｃ１に記載の方法。
［Ｃ３］
前記ＴＰＲは第１のＴＰＲであり、前記該当グループは第１のグループであり、前記方法は、
前記１つまたは複数のグループからの第２のグループの複数のリソース要素を第２のＴＰＲに制限すること、前記第１のＴＰＲは前記第２のＴＰＲとは異なる、をさらに備える、Ｃ１に記載の方法。
［Ｃ４］
前記第１のグループは第１の制御チャネル送信に関連付けられ、前記第２のグループは第２の制御チャネル送信に関連付けられ、前記第２の制御チャネル送信は前記第１の制御チャネル送信とは異なる、Ｃ３に記載の方法。
［Ｃ５］
ＰＲＢペア内の全てのグループの全てのリソース要素は同じＴＰＲを有する、Ｃ１に記載の方法。
［Ｃ６］
前記分割することは、前記１つまたは複数のグループを複数の制御チャネル要素に分割することを含み、各制御チャネル要素はいくつかのグループを備える、
前記制限することは、前記複数の制御チャネル要素のうちの該当制御チャネル要素における各グループの複数のリソース要素を前記ＴＰＲに制限することを含む、Ｃ１に記載の方法。
［Ｃ７］
前記制限することは、前記該当制御チャネル要素における各グループの全てのリソース要素を前記ＴＰＲに制限することをさらに備える、Ｃ６に記載の方法。
［Ｃ８］
前記ＴＰＲは第１のＴＰＲであり、前記該当制御チャネル要素は第１の制御チャネル要素であり、前記方法は、
前記複数の制御チャネル要素からの第２の制御チャネル要素の各グループの複数のリソース要素を第２のＴＰＲに制限すること、前記第１のＴＰＲは前記第２のＴＰＲとは異なる、をさらに備える、Ｃ６に記載の方法。
［Ｃ９］
前記第１の制御チャネル要素は第１の制御チャネル送信に関連付けられ、前記第２の制御チャネル要素は第２の制御チャネル送信に関連付けられ、前記第２の制御チャネル送信は前記第１の制御チャネル送信とは異なる、Ｃ８に記載の方法。
［Ｃ１０］
制御チャネル要素の前記グループは同じＰＲＢペア内にある、Ｃ６に記載の方法。
［Ｃ１１］
制御チャネル要素の前記グループは複数のＰＲＢペアにわたって分散される、Ｃ６に記載の方法。
［Ｃ１２］
制御チャネル要素の分散されたグループに関連付けられたＰＲＢペアのセットをユーザ機器（ＵＥ）に通知することをさらに備える、Ｃ１１に記載の方法。
［Ｃ１３］
同じＴＰＲを有する前記複数のリソース要素は、前記少なくとも１つのＰＲＢペアの同じシンボル持続時間をもつ、Ｃ１に記載の方法。
［Ｃ１４］
前記少なくとも１つのＰＲＢペアの第１のシンボル持続時間の複数のリソース要素は第１のＴＰＲを有し、前記少なくとも１つのＰＲＢペアの第２のシンボル持続時間の複数のリソース要素は第２のＴＰＲを有し、前記第１のＴＰＲは前記第２のＴＰＲとは異なる、Ｃ１３に記載の方法。
［Ｃ１５］
前記第１のＴＰＲと前記第２のＴＰＲとの間の比は値に基づき、前記値はセルごとに決定される、Ｃ１４に記載の方法。
［Ｃ１６］
前記制限をユーザ機器（ＵＥ）に通知することをさらに備える、Ｃ１に記載の方法。
［Ｃ１７］
前記少なくとも１つのＰＲＢペアは、制御チャネル送信のために割り振られない少なくとも１つのリソース要素を備える、Ｃ１に記載の方法。
［Ｃ１８］
１つまたは複数の制御チャネルを送信するための少なくとも１つの物理リソースブロック（ＰＲＢ）ペアの複数のリソース要素を識別するための手段と、
前記複数の識別されたリソース要素を１つまたは複数のグループに分割するための手段と、
前記１つまたは複数のグループのうちの１つの該当グループにおける複数のリソース要素を１つのトラフィック対パイロット比（ＴＰＲ）に制限するための手段とを備える、ワイヤレス通信のための装置。
［Ｃ１９］
前記複数のリソース要素は前記該当グループにおける全てのリソース要素を含む、Ｃ１８に記載の装置。
［Ｃ２０］
前記ＴＰＲは第１のＴＰＲであり、前記該当グループは第１のグループであり、制限するための前記手段は、
前記１つまたは複数のグループからの第２のグループの複数のリソース要素を第２のＴＰＲに制限すること、前記第１のＴＰＲは前記第２のＴＰＲとは異なる、を行うように構成され、
ここにおいて、前記第１のグループは第１の制御チャネル送信に関連付けられ、前記第２のグループは第２の制御チャネル送信に関連付けられ、前記第２の制御チャネル送信は前記第１の制御チャネル送信とは異なる、Ｃ１８に記載の装置。
［Ｃ２１］
ＰＲＢペア内の全てのグループの全てのリソース要素は同じＴＰＲを有する、Ｃ１８に記載の装置。
［Ｃ２２］
分割するための前記手段は、前記１つまたは複数のグループを複数の制御チャネル要素に分割するように構成され、各制御チャネル要素はいくつかのグループを備える、
制限するための前記手段は、前記複数の制御チャネル要素のうちの該当制御チャネル要素における各グループの複数のリソース要素を前記ＴＰＲに制限するように構成された、Ｃ１８に記載の装置。
［Ｃ２３］
制限するための前記手段は、前記該当制御チャネル要素における各グループの全てのリソース要素を前記ＴＰＲに制限するように構成された、Ｃ２２に記載の装置。
［Ｃ２４］
前記ＴＰＲは第１のＴＰＲであり、前記該当制御チャネル要素は第１の制御チャネル要素であり、ここにおいて、制限するための前記手段は、前記複数の制御チャネル要素からの第２の制御チャネル要素の各グループの複数のリソース要素を第２のＴＰＲに制限するように構成され、前記第１のＴＰＲは前記第２のＴＰＲとは異なる、
ここにおいて、前記第１の制御チャネル要素は第１の制御チャネル送信に関連付けられ、前記第２の制御チャネル要素は第２の制御チャネル送信に関連付けられ、前記第２の制御チャネル送信は前記第１の制御チャネル送信とは異なる、Ｃ２２に記載の装置。
［Ｃ２５］
制御チャネル要素の前記グループは同じＰＲＢペア内にあるか、または複数のＰＲＢペアにわたって分散され、前記装置は、制御チャネル要素の分散されたグループに関連付けられたＰＲＢペアのセットをユーザ機器（ＵＥ）に通知するための手段をさらに備える、Ｃ２２に記載の装置。
［Ｃ２６］
同じＴＰＲを有する前記複数のリソース要素は、前記少なくとも１つのＰＲＢペアの同じシンボル持続時間をもち、
ここにおいて、前記少なくとも１つのＰＲＢペアの第１のシンボル持続時間の複数のリソース要素は第１のＴＰＲを有し、前記少なくとも１つのＰＲＢペアの第２のシンボル持続時間の複数のリソース要素は第２のＴＰＲを有し、前記第１のＴＰＲは前記第２のＴＰＲとは異なる、
ここにおいて、前記第１のＴＰＲと前記第２のＴＰＲとの間の比は値に基づき、前記値はセルごとに決定される、Ｃ１８に記載の装置。
［Ｃ２７］
前記制限をユーザ機器（ＵＥ）に通知するための手段をさらに備える、Ｃ１８に記載の装置。
［Ｃ２８］
前記少なくとも１つのＰＲＢペアは、制御チャネル送信のために割り振られない少なくとも１つのリソース要素を備える、Ｃ１８に記載の装置。
［Ｃ２９］
少なくとも１つのプロセッサに結合されたメモリを備え、
前記少なくとも１つのプロセッサは、
１つまたは複数の制御チャネルを送信するための少なくとも１つの物理リソースブロック（ＰＲＢ）ペアの複数のリソース要素を識別することと、
前記複数の識別されたリソース要素を１つまたは複数のグループに分割することと、
前記１つまたは複数のグループのうちの１つの該当グループにおける複数のリソース要素を１つのトラフィック対パイロット比（ＴＰＲ）に制限することとを行うように構成された、ワイヤレス通信のための装置。
［Ｃ３０］
コンピュータ可読媒体に記憶されたコンピュータプログラム製品であって、
１つまたは複数の制御チャネルを送信するための少なくとも１つの物理リソースブロック（ＰＲＢ）ペアの複数のリソース要素を識別することと、
前記複数の識別されたリソース要素を１つまたは複数のグループに分割することと、
前記１つまたは複数のグループのうちの１つの該当グループにおける複数のリソース要素を１つのトラフィック対パイロット比（ＴＰＲ）に制限することとを行うためのコードを備える、コンピュータプログラム製品。